(57)【要約】【課題】プラント設備の状態監視や、雨量や河川の水位などの状態変化のデータを時系列的に表示する際、データ表示を高速化した装置を提供する。【解決手段】データ蓄積装置５０とネットワークを介して接続され、データ蓄積装置５０に蓄積された表示対象データを表示するブラウザ機能手段３０を備えたデータ表示装置１００において、ユーザが要求する表示対象のデータをブラウザ機能手段３０内のブラウザキャッシュ判定部５がブラウザキャッシュエリア４内に格納の有無を判定し、無のとき、データ蓄積装置５０内のアプリケーションサーバ４０から取得することでデータ表示の高速化を図る。【選択図】図１
2010170182.tif 000002
【特許請求の範囲】
【請求項１】
データ蓄積装置とネットワークを介して接続されて、前記データ蓄積装置に蓄積された表示対象データを画面に表示するブラウザ機能手段を備えたデータ表示装置であって、
前記ブラウザ機能手段は、
表示対象データを可視化する計算をするブラウザレンダリングエンジンと、
前記データ蓄積装置から取得した表示対象データを一時保存するブラウザキャッシュエリアと、
指示された前記表示対象データを取得して前記ブラウザレンダリングエンジンに出力する表示データ処理部と、
前記表示データ処理部から要求される１個または複数の前記表示対象データについて、前記表示対象データが前記ブラウザキャッシュエリアに存在する場合は前記ブラウザキャッシュエリアから取得した前記表示対象データを前記表示データ処理部に返し、存在しない場合は前記データ蓄積装置から前記表示対象データを取得し、取得した前記表示対象データを前記表示データ処理部に返すとともに前記ブラウザキャッシュエリアに保存するブラウザキャッシュ判定部とを有することを特徴とするデータ表示装置。
【請求項２】
前記ブラウザキャッシュ判定部が、前記ブラウザキャッシュエリアに存在しない前記表示対象データをまとめて前記データ蓄積装置から取得することを特徴とする請求項１に記載のデータ表示装置。
【請求項３】
前記表示データ処理部が、前記ブラウザレンダリングエンジンに出力した前記表示対象データを保存するデータバッファリングエリアを有し、表示を指示された１個または複数の前記表示対象データについて、表示を指示された前記表示対象データが前記データバッファリングエリアに存在するかどうかを判定し、存在する場合は前記データバッファリングエリアから取得した前記表示対象データ前記ブラウザレンダリングエンジンに出力し、存在しない場合は前記ブラウザキャッシュ判定部に表示を指示された前記表示対象データを要求して取得した前記表示対象データをデータ前記ブラウザレンダリングエンジンに出力することを特徴とする請求項１または請求項２のいずれか１項に記載のデータ表示装置。
【請求項４】
前記表示データ処理部が、前記データバッファリングエリアに存在しない前記表示対象データをまとめて前記ブラウザキャッシュ判定部から取得することを特徴とする請求項３に記載のデータ表示装置。
【請求項５】
前記表示データ処理部に入力される前記表示対象データと出力する前記表示対象データのデータ表現形式が同じであることを特徴とする請求項１ないし請求項４のいずれか１項に記載のデータ表示装置。
【請求項６】
データ蓄積装置と、前記データ蓄積装置からネットワークを介して取得した表示対象データを画面に表示するブラウザ機能手段を有するデータ表示装置とを備えたデータ表示システムであって、
前記ブラウザ機能手段は、
表示対象データを可視化する計算をするブラウザレンダリングエンジンと、
前記データ蓄積装置から取得した表示対象データを一時保存するブラウザキャッシュエリアと、
指示された前記表示対象データを取得して前記ブラウザレンダリングエンジンに出力する表示データ処理部と、
前記表示データ処理部から要求される１個または複数の前記表示対象データについて、前記表示対象データが前記ブラウザキャッシュエリアに存在する場合は前記ブラウザキャッシュエリアから取得した前記表示対象データを前記表示データ処理部に返し、存在しない場合は前記データ蓄積装置から前記表示対象データを取得し、取得した前記表示対象データを前記表示データ処理部に返すとともに前記ブラウザキャッシュエリアに保存するブラウザキャッシュ判定部とを有し、
前記データ蓄積装置は、
前記表示対象データを蓄積するアプリケーションサーバと、
前記ブラウザ機能手段からのデータ取得要求に対して返送した前記表示対象データを一時保存するＷｅｂキャッシュエリアと、
前記Ｗｅｂキャッシュエリアに前記ブラウザ機能手段から取得を要求された１個または複数の前記表示対象データについて、前記表示対象データが前記Ｗｅｂキャッシュエリアに存在する場合は前記Ｗｅｂキャッシュエリアから取得し、存在しない場合は前記アプリケーションサーバから取得して前記ブラウザ機能手段に返すとともに前記Ｗｅｂキャッシュエリアに格納するＷｅｂキャッシュ手段を有するＷｅｂサーバとを備えたことを特徴とするデータ表示システム。
【発明の詳細な説明】
【技術分野】
【０００１】
この発明は、時刻毎の雨量や河川水位の変化量のデータやグラフを表示する装置に関するもので、特にブラウザ機能手段とサーバを有しブラウザキャッシュ上にサーバから取得した表示対象データを一時保存し、データ更新時に新規に必要となる差分データのみをサーバから取得し、すでに取得したことがある表示対象データはブラウザキャッシュから取得したデータを表示する装置に係るものである。
【背景技術】
【０００２】
従来から、プラント設備や公共施設における設備の状態監視、あるいは、雨量や河川の水位など、状態変化を時系列に、かつ視覚的に表示する方法としてグラフによるデータ表示方式が用いられている。さらに、あらかじめ定めておいた周期でデータを収集して自動的にグラフを更新する、トレンドグラフによる状態監視が監視制御分野において広く用いられている。グラフ表示による状態監視は、時に業務においてクリティカルな対象を監視しているため、グラフ描画要求に対してできるだけ高速にグラフを描画する必要がある。また、近年の情報公開の流れから監視状況を不特定多数の人に対して確認できる仕組みが必要となり、システムのＷｅｂ配信対応、つまりはシステム全体としてインターネットを含めたネットワーク化が不可欠となってきている。
従来の要件に対するトレンドグラフ表示方式の一例としては、収集データを記憶するハードディスクと前記収集データの一部を記憶する表示用バッファの間にキャッシュメモリを備えたものが開示されている（特許文献１）。
【先行技術文献】
【特許文献】
【０００３】
【特許文献１】特開平０５−１０７０８２号公報
【発明の概要】
【発明が解決しようとする課題】
【０００４】
しかしながら、前記特許文献１に示された技術では、自装置内でデータキャッシュの仕組みを実現しているが、ネットワーク化したときに、各装置間のデータ通信量や、処理時間を考慮したものにできないため、結果としてグラフ表示時間が遅くなってしまい、集中豪雨時における迅速な情報提供対策立案時のデータ表示に要求される性能要件が満たせなくなってしまうという問題点がある。
【０００５】
この発明は前記のような課題を解決するためになされたものであり、ネットワークで接続されたデータ表示装置において、データ表示を高速化した装置を提供することにある。
【課題を解決するための手段】
【０００６】
この発明に係るデータ表示装置は、データ蓄積装置とネットワークを介して接続されて、前記データ蓄積装置に蓄積された表示対象データを画面に表示するブラウザ機能手段を備え、ブラウザ機能手段は、表示対象データを可視化する計算をするブラウザレンダリングエンジンと、データ蓄積装置から取得した表示対象データを一時保存するブラウザキャッシュエリアと、指示された表示対象データを取得してブラウザレンダリングエンジンに出力する表示データ処理部と、表示データ処理部から要求される１個または複数の表示対象データについて、表示対象データがブラウザキャッシュエリアに存在する場合はブラウザキャッシュエリアから取得した表示対象データを表示データ処理部に返し、存在しない場合はデータ蓄積装置から表示対象データを取得し、取得した表示対象データを表示データ処理部に返すとともにブラウザキャッシュエリアに保存するブラウザキャッシュ判定部とを有するものである。
【０００７】
またこの発明に係るデータ表示システムは、データ蓄積装置と、データ蓄積装置からネットワークを介して取得した表示対象データを画面に表示するブラウザ機能手段を有するデータ表示装置とを備え、ブラウザ機能手段は、表示対象データを可視化する計算をするブラウザレンダリングエンジンと、データ蓄積装置から取得した表示対象データを一時保存するブラウザキャッシュエリアと、指示された表示対象データを取得してブラウザレンダリングエンジンに出力する表示データ処理部と、表示データ処理部から要求される１個または複数の表示対象データについて、表示対象データがブラウザキャッシュエリアに存在する場合はブラウザキャッシュエリアから取得した表示対象データを表示データ処理部に返し、存在しない場合はデータ蓄積装置から表示対象データを取得し、取得した表示対象データを表示データ処理部に返すとともにブラウザキャッシュエリアに保存するブラウザキャッシュ判定部とを有し、データ蓄積装置は、表示対象データを蓄積するアプリケーションサーバと、ブラウザ機能手段からのデータ取得要求に対して返送した表示対象データを一時保存するＷｅｂキャッシュエリアと、Ｗｅｂキャッシュエリアにブラウザ機能手段から取得を要求された１個または複数の表示対象データについて、表示対象データがＷｅｂキャッシュエリアに存在する場合はＷｅｂキャッシュエリアから取得し、存在しない場合はアプリケーションサーバから取得してブラウザ機能手段に返すとともにＷｅｂキャッシュエリアに格納するＷｅｂキャッシュ手段を有するＷｅｂサーバとを備えたものである。
【発明の効果】
【０００８】
この発明に係るデータ表示装置は、前記のような構成の装置であり、表示対象データの中でブラウザキャッシュエリアに存在しないものだけを蓄積装置から取得するので、ネットワークを介する通信量を低減することが可能となり、データ表示の高速化を図ることができるという効果がある。
【０００９】
またこの発明に係るデータ表示システムは、上記のような構成のシステムであるので、前記と同様の効果を有するとともに、データ蓄積装置のアプリケーションサーバに対するアクセス集中を抑え、負荷を軽減することができ、データ表示の高速化ができ、全体としてデータ表示性能を向上させることができる。
【図面の簡単な説明】
【００１０】
【図１】この発明の実施の形態１によるデータ表示装置を示すブロック図である。
【図２】この発明の実施の形態１によるデータ表示装置のフローチャートを示す図である。
【図３】この発明の実施の形態２によるデータ表示装置を示すブロック図である。
【図４】この発明の実施の形態２によるデータ表示装置のフローチャートを示す図である。
【図５】この発明の実施の形態３によるデータ表示装置を示す図である。
【図６】この発明の実施の形態３によるデータ表示装置のフローチャートを示す図である。
【図７】この発明の実施の形態３によるデータ表示装置において表示対象データの中でデータバッファリングエリアに存在しない差分データだけを通信部を介して取得することを説明する図である。
【図８】この発明の実施の形態４によるデータ表示装置において表示データ処理部が入力する表示対象データと出力する表示対象データのデータ表現形式が同じであることを説明する図である。
【発明を実施するための形態】
【００１１】
実施の形態１．
以下、この発明の実施の形態１を図に基づいて説明する。
図１において、データ表示装置１００は、データ蓄積装置とネットワークを介して接続され、このデータ蓄積装置に蓄積された表示対象データを画面に表示するブラウザ機能手段を備えている。この実施の形態１によるデータ表示装置１００は、データ蓄積装置５０に設けられたアプリケーションサーバ４０からネットワークを経由して取得したデータを、例えばトレンドグラフ等に表示するものであり、データ表示端末としてブラウザ機能手段３０を備えている。
ブラウザ機能手段３０は画面上に要求された内容を表示できるようにデータを可視化する計算を行うブラウザレンダリングエンジン７と、ユーザからの入力を受け付ける入力部８と、アプリケーションサーバ４０との表示対象データの授受を実施するブラウザ通信制制御部６と、アプリケーションサーバ４０から受信した表示対象データを蓄積するブラウザキャッシュエリア４と、ブラウザキャッシュエリア４内に表示対象データが存在するかどうかを判定するブラウザキャッシュ判定部５と、データを表示するために必要となる処理を実施する表示データ処理部２０で構成される。この表示データ処理部２０は、データである点線、画像、文字などを表示するようにブラウザレンダリングエンジン７に要求するレンダリング要求部１と、レンダリング要求部１に対して、線種や色、太さなどの描画種別情報や画像の表示位置情報など、グラフ表示に必要となる属性情報を発信する本体部２と、表示対象データの要求、取得を実施する通信部３で構成される。アプリケーションサーバ５０は、ネットワーク経由で受信した要求を処理する要求処理部９とグラフ描画に必要となる各種データが格納された表示対象データの格納エリア１０で構成される。
【００１２】
次に動作についてフローチャート図に基づいて説明する。
図２において、例えばグラフを表示する際、まず入力部８に対しグラフ描画要求が発信される（ＳＴ１）。ブラウザ入力部８は、受信したグラフ描画要求を表示データ処理部２０内の本体部２に送信する（ＳＴ２）。グラフ描画要求を受信した本体部２は、指示された１個または複数の表示対象データを割り出し、通信部３に対して表示対象データの取得要求を送信する（ＳＴ３）。送信した表示対象データ取得要求は、通信部３を経由してブラウザキャッシュ判定部５に渡り、ブラウザキャッシュ判定部５によってブラウザキャッシュエリア４に表示対象データが格納されているか否かの判定が行われる（ＳＴ４）。ここで、ブラウザキャッシュエリア４に格納されている表示対象データについては、ブラウザキャッシュ判定部５がデータを取得し、ブラウザキャッシュ判定部５内に一時保管される（ＳＴ５）。ブラウザキャッシュエリア４より取得できなかった表示対象データについては、データ取得要求がブラウザキャッシュ判定部５よりブラウザ通信制御部６に対し発信され、ネットワークを経由してデータ蓄積装置５０のアプリケーションサーバ４０に送信される（ＳＴ６）。アプリケーションサーバ４０が受信したデータ取得要求は要求処理部９で、例えばグラフ化や数表化などに処理され、その後、表示対象データ格納エリア１０に格納されるとともに、この処理後のデータあるいは処理を必要としない格納されているデータは表示対象格納エリア１０より取得した表示対象データが含まれた応答が要求処理部９によってネットワークを経由してブラウザ通信制御部６に返信される（ＳＴ７）。応答を受信したブラウザ通信制御部６は、ブラウザキャッシュ判定部５に応答を転送する（ＳＴ８）。ブラウザキャッシュ判定部５は、応答より表示対象データを取得し、ブラウザキャッシュエリア４に格納する（ＳＴ９）。
【００１３】
次に、ＳＴ５で一時保管していた表示対象データと、ネットワーク経由で取得したＳＴ８の表示対象データをまとめて通信部３を経由して本体部２に発信する。このとき、通信部３は、表示対象データを加工等せずそのままの形で本体部に転送する（ＳＴ１０）。本体部２は表示対象データをグラフ描画に適した形に整形し、レンダリング要求部１に送信する（ＳＴ１１）。最後にレンダリング要求部１がブラウザレンダリングエンジン７にグラフ描画情報を発信し、ブラウザレンダリングエンジン７によってグラフが表示される（ＳＴ１２、ＳＴ１３）。ＳＴ１４で終了要求ありの場合、再びＳＴ１に戻り、終了要求なしで処理終了となる。
なおＳＴ４において、すべてのデータが存在する場合はデータありだけが選択され、すべてのデータが存在しない場合はデータなしだけが選択される。一部のデータが存在し残りのデータが存在しない場合は、存在するデータについてはデータありが選択され、存在しないデータについてはデータなしが選択される。また、ＳＴ５でＷＥＢＡＰサーバにデータ取得要求を行なう際には、ブラウザキャッシュエリアに存在しないデータをまとめて要求する。ただし、データ取得要求パケットの容量制約などにより１個のパケットで処理できない場合は、複数のパケットに分けて処理する。
【００１４】
このような実施の形態１のデータ表示装置１００は、ネットワークで接続されたシステムにおいてブラウザキャッシュの機能を利用してグラフを表示するため、表示対象データをグラフ要求ごとにネットワークを経由して取得する回数を軽減でき、高速なグラフ表示を可能とする。
【００１５】
実施の形態２．
実施の形態２は、実施の形態１のデータ蓄積装置５０にＷｅｂサーバ７０を設けたものであり、前述した実施の形態１における図１のブラウザ機能手段３０とアプリケーションサーバ４０の間に、図３に示すようにＷｅｂサーバ７０を設けたものである。Ｗｅｂサーバ７０には、ブラウザ機能手段３０より送信されたデータ取得要求をネットワーク経由で受信後、該当データがキャッシュしているかどうかを判定し、キャッシュからのデータ取得、およびアプリケーションサーバ４０への取得要求転送を実施するＷｅｂキャッシュ手段１１と、Ｗｅｂキャッシュ手段１１がキャッシュしたデータを格納しておくＷｅｂキャッシュエリア１２が備えられている。この実施の形態２は前述の実施の形態１において、ネットワーク上にデータキャッシュの仕組みを設けることで、アプリケーションサーバ４０に対するアクセス集中を抑え、負荷を軽減できることに加え、通信制御部６が送信したデータ取得要求に対する応答速度を上げることができるため、全体としてデータ表示性能を向上させることができる。
【００１６】
以下、動作を図４のフローチャート図に基づいて説明する。なお、実施の形態１の図２に示すＳＴ番号と実施の形態２の図４に示すＳＴ番号が同一なものは同一の動作を示すものである。
ブラウザ入力部８からブラウザキャッシュ判定部５までの動作ＳＴ１〜ＳＴ５は実施の形態１と同様であるので説明を省略する。ＳＴ４でデータなしと判定した場合、ブラウザキャッシュ判定部５からブラウザ通信制御部６に対して表示対象データ取得要求が発信されると、ブラウザ通信制御部６は、Ｗｅｂサーバ７０に対して表示対象データ取得要求を発信する（ＳＴ４１）。Ｗｅｂサーバ７０は、Ｗｅｂキャッシュ手段１１を介してＷｅｂキャッシュエリア１２に該当の表示対象データが格納されているかどうかを確認し、格納されていればＷｅｂキャッシュエリア１１より表示対象データ取得後、通信制御部６に返信する（ＳＴ４２、ＳＴ４３）。格納されていない表示対象データについては、アプリケーションサーバ４０に対してデータ取得要求を転送し、実施の形態１と同様にして表示対象データをアプリケーションサーバ４０より取得し、取得したデータをＷｅｂキャッシュエリア１２に格納した後通信制御部６に返信する（ＳＴ６、ＳＴ７、ＳＴ４４、ＳＴ４５）。返信を受け取った通信制御部６以降の動作であるＳＴ８〜ＳＴ１４は実施の形態１と同様の動作であるので説明を省略する。なお、ＳＴ４２におけるデータあり、データなしは、前述したＳＴ４と同様の処理となる。
【００１７】
このような実施の形態２は、前述した実施の形態１においてアプリケーションサーバ４０に対して多数のデータ取得要求が同時に送信される場合、Ｗｅｂサーバ７０にデータがキャッシュされていると、アプリケーションサーバ４０への要求数を抑えることができるため、アプリケーションサーバ４０の性能低下を防ぐことができ応答速度が向上し、全体としてデータ表示速度を向上させることができる。
【００１８】
実施の形態３．
実施の形態３は、図５に示すように前述した実施の形態２の図３に示した表示データ処理部２０に、データバッファリングエリア１３を追加したものである。データバッファリングエリア１３は、グラフ描画時に必要となるデータ数よりも十分に大きい領域を持っており、描画要求時点における表示対象データ以外のデータもあらかじめ保持しておくことができる。このデータバッファリングエリア１３を設ける重要性は、ブラウザキャッシュエリア４やデータ蓄積装置５０からのデータ取得をすることもなく表示データ処理部２０内でデータ取得処理することができることによるデータ表示性能の向上にある。
【００１９】
以下、図６のフローチャート図に基づいて動作を説明する。
ブラウザ入力部８は、グラフ表示要求を受信すると、本体部２に受信した要求を送信する（ＳＴ１）。本体部２は、受信した要求からグラフ描画に必要となるデータに対して、データバッファリングエリア１３に該当する表示対象データが格納されているかどうかを確認する（ＳＴ３１）。ここで、本体部２は、データバッファリングエリア１３に格納されている表示対象データについてはデータバッファリングエリア１３より取得し（ＳＴ３２）、格納されていないものについては通信部３に対しデータ取得要求を送信する（ＳＴ２）。
【００２０】
図７に、この発明の実施の形態３によるデータ表示装置において表示対象データの中でデータバッファリングエリアに存在しない差分データだけを通信部を介して取得することを説明する図を示す。Ａ〜Ｊの１０個のデータが要求されると、本体部２はデータバッファリングエリア１３にＡ〜Ｊのデータが存在するかどうかを調べる。Ｂ，Ｄ，Ｆ，Ｈ，Ｉの５個のデータがデータバッファリングエリア１３に存在するので取得する。Ａ，Ｃ，Ｅ，Ｇ，Ｊの５個のデータがデータバッファリングエリア１３に存在しない差分データであり、これらの差分データの取得を通信部３を介して要求する。Ａ，Ｃ，Ｅ，Ｇ，Ｊのデータが取得できると、データバッファリングエリア１３に格納するとともに、Ｂ，Ｄ，Ｆ，Ｈ，Ｉのデータと合わせてＡ〜Ｊの１０個のデータをに対して、ａ，ｂ，ｃ，ｄ，ｅのデータにデータ表現形式を変換する加工を行なってブラウザレンダリングエンジン７に出力する。
【００２１】
このような実施の形態３のデータ表示装置１００は、例えば、直近の過去の状態と現在の状態を切り替えて表示する際、表示データ処理部２０からの表示対象データ取得要求回数を削減することができるとともに、表示データ処理部２０内でデータ取得までの処理を実施できる場合が存在するようになるため、応答速度が向上し、全体としてデータ表示速度が向上する。
またさらにこのような実施の形態３のデータ表示装置１００は、例えば、ある設定された時間の間隔でグラフが時系列に更新される場合、最新時間の表示対象データのみを通信部３経由で取得し、残りはデータバッファリングエリア１３から取得すればよいため、表示更新時に毎回すべてのデータを通信部３より取得する必要がなくなるため、表示性能が向上する。また、通信部３経由のデータ取得時に、ブラウザキャッシュエリア４にもデータが格納されてなくネットワークを経由したデータ蓄積装置５０からのデータ取得が必要となった場合にでも、最小限のデータ取得で済むため、帯域の狭いネットワークであった場合でも性能低下を防ぐことができる。
【００２２】
実施の形態４．
実施の形態４は表示データ処理部２０のデータバッファリングエリア１３、ブラウザ機能手段３０のブラウザキャッシュエリア４、データ蓄積装置５０のＷｅｂサーバ７０内のＷｅｂキャッシュエリア１２において、表示対象データをグラフ表示に適した単位で保持するようにしたものである。
【００２３】
次に動作について説明する。図８に、この発明の実施の形態４によるデータ表示装置において表示データ処理部が入力する表示対象データと出力する表示対象データのデータ表現形式が同じであることを説明する図を示す。
ブラウザ機能手段３０に対してグラフ表示要求が発信されてからブラウザレンダリングエンジン７によってグラフが表示されるまでの動作の流れは実施の形態３の場合と同様である。ただし、表示データ処理部２０が取得したａ〜ｊの表示対象データをブラウザレンダリングエンジン７にデータ表現形式を変換することなく出力している点が異なる。そのため、データバッファリングエリア１３、ブラウザキャッシュエリア４、データ蓄積装置５０に格納される表示対象データのデータ表現形式も、ブラウザレンダリングエンジン７に入力される表示対象データのデータ表現形式と同じになる。つまり、表示対象データを加工することなくグラフ描画することができる。
【００２４】
これより、表示対象データをグラフ描画用の情報に変換する処理を省略することができるため、全体としてグラフ描画速度が向上する。さらに、グラフ描画時に無駄なデータを取り扱うことがないため、データ表示装置１００のリソース消費量を削減できる。
【産業上の利用可能性】
【００２５】
本発明は、プラント設備や公共施設の監視に係わり、ネットワークを介して遠方に備わっている監視対象の状態をデータ表示、とくにグラフ化して確認する場合に有効である。
【符号の説明】
【００２６】
２  本体部、４  ブラウザキャッシュエリア、５  ブラウザキャッシュ判定部、
７  ブラウザレンダリングエンジン、８  入力部、９  要求処理部、
１０  表示対象データ格納エリア、１１  Ｗｅｂキャッシュ手段、
１２  Ｗｅｂキャッシュエリア、１３  データバッファリングエリア、
２０  表示データ処理部、３０  ブラウザ機能手段、４０  アプリケーションサーバ、
５０  データ蓄積装置、６０  ユーザ入力、１００  データ表示装置。
【図１】
2010170182.tif 000003
【図２】
2010170182.tif 000004
【図３】
2010170182.tif 000005
【図４】
2010170182.tif 000006
【図５】
2010170182.tif 000007
【図６】
2010170182.tif 000008
【図７】
2010170182.tif 000009
【図８】
2010170182.tif 000010